(57)【要約】【課題】より効率的で騒音の少ない送風構造を有すると共に、インバーターを効率よく冷却させる送風構造を有する電子レンジを提供する。【解決手段】多数の空気吸入口及び空気排出口を有する本体１００と、その内部に調理室が形成され空気流入ホール及び空気流出ホールを有する内部ケース２００と、電子部品が設けられる電装室４００と、インバーター部３００と、マグネトロン部５００と、インバーター部が提供された空間と電装室をなす空間とマグネトロン部が提供された空間とをそれぞれ区画する区画板（６１０，６２０）と、各前記空間が共通に接する部位に提供され外部空気を前記本体内のそれぞれの空間に送風する単一の送風手段７００とから構成される。【選択図】　　　図６
2004061107.tif 000002
【特許請求の範囲】
【請求項１】
各種の部品を収容及び保護するように提供され、多数の空気吸入口及び多数の空気排出口を有する本体と、
前記本体内の上部空間に提供され、その内部に調理室を形成し、空気流入ホール及び空気流出ホールを有する内部ケースと、
前記本体内の下部空間の後方部に提供され、電子部品が設けられる電装室と、
前記本体内の下部空間の前方部に提供されるインバーター部と、
前記本体内の側部空間に提供されるマグネトロン部と、
前記インバーター部が提供された空間と、電装室をなす空間と、前記マグネトロン部が提供された空間とをそれぞれ区画する区画板と、
各前記空間が共通に接する部位に提供され、外部空気を前記本体内のそれぞれの空間に送風する単一の送風手段とを含めてなることを特徴とする電子レンジ。
【請求項２】
前記空気吸入口は前記本体の後方の底面及び後面にそれぞれ形成されることを特徴とする請求項１記載の電子レンジ。
【請求項３】
前記空気吸入口は前記電装室に連通するように形成されることを特徴とする請求項２記載の電子レンジ。
【請求項４】
前記空気吸入口はそれぞれ多数個のスリットからなることを特徴とする請求項３記載の電子レンジ。
【請求項５】
前記空気排出口は前記本体の後面に形成されることを特徴とする請求項１記載の電子レンジ。
【請求項６】
前記空気排出口は前記内部ケースの空気流出ホールと隣接して形成されることを特徴とする請求項５記載の電子レンジ。
【請求項７】
前記本体の後面と前記内部ケースとの間に提供され、前記空気流出ホールを通過した空気が本体の内部に再流動することを防止するフレームを更に含めてなることを特徴とする請求項６記載の電子レンジ。
【請求項８】
前記空気排出口は前記本体の側面に形成されることを特徴とする請求項１記載の電子レンジ。
【請求項９】
前記空気排出口は前記インバーター部と連通して形成されることを特徴とする請求項１記載の電子レンジ。
【請求項１０】
前記空気排出口は前記本体の前方の側面にそれぞれ形成されることを特徴とする請求項１記載の電子レンジ。
【請求項１１】
前記内部ケースの空気流入ホールは前記マグネトロン部が提供された空間と連通して形成されることを特徴とする請求項１記載の電子レンジ。
【請求項１２】
前記内部ケースの空気流入ホールは前記マグネトロン部が提供された空間と隣接した前記内部ケースの一方の壁面に形成されることを特徴とする請求項１１記載の電子レンジ。
【請求項１３】
前記内部ケースは上部の表面に形成される補助空気流出ホールを更に含むことを特徴とする請求項１記載の電子レンジ。
【請求項１４】
前記本体の後方の上面には前記補助空気流出ホールを介して流出した空気を排出させるための別途の空気排出口が形成されることを特徴とする請求項９記載の電子レンジ。
【請求項１５】
前記内部ケースの下部縁に沿って突出して形成され、前記本体内の空間を下部空間と上部区間とに水平に分離するフレームを更に含むことを特徴とする請求項１記載の電子レンジ。
【請求項１６】
前記フレームは前記内部ケースの空気流入ホールと隣接した部分に開口部が形成されることを特徴とする請求項１５記載の電子レンジ。
【請求項１７】
前記内部ケースの上部縁に沿って突出して形成され、前記本体と前記内部ケースの上面との間に隔離された空間を形成する別途のフレームを更に含むことを特徴とする請求項１記載の電子レンジ。
【請求項１８】
前記空気流入ホールが形成された部分には前記内部ケースの内部を照らすランプ部が提供されることを特徴とする請求項１２記載の電子レンジ。
【請求項１９】
前記ランプ部は、
ランプと、
前記ランプを支持し、かつ、送風された空気を前記空気流入ホールに案内する支持ホルダーとを含むことを特徴とする請求項１８記載の電子レンジ。
【請求項２０】
前記空気流出ホールには流出する空気の水分含有量を検出するセンサー部が提供されることを特徴とする請求項１記載の電子レンジ。
【請求項２１】
前記マグネトロン部は、
マイクロウェーブを放出させるマグネトロンと、
前記マグネトロンを保護し、かつ、本体内の側部空間のうち前記内部ケースの空気流入ホールが形成された前方の空間を後方の空間と分離させるよう本体の側面に向かって突出しているハウジングとを含めてなることを特徴とする請求項１記載の電子レンジ。
【請求項２２】
前記ハウジングは前記内部ケースの側壁と前記本体の側面との間を塞ぐように提供されることを特徴とする請求項２１記載の電子レンジ。
【請求項２３】
送風手段は、
前記インバーター部が提供された空間、及び前記マグネトロン部が提供された空間に同時に空気を送風する送風ファンと、
前記送風ファンを駆動するファンモータとを含むことを特徴とする請求項１記載の電子レンジ。
【請求項２４】
前記送風ファンは前記本体内の下部空間の後方に位置することを特徴とする請求項２３記載の電子レンジ。
【請求項２５】
前記送風ファンの空気吐出側は前記インバーター部が提供された空間、及び前記マグネトロン部が提供された空間にそれぞれ部分的に連通することを特徴とする請求項２３記載の電子レンジ。
【請求項２６】
前記区画板は、
前記インバーター部が提供された空間と、前記電装室をなす空間とを区画するよう横方向に提供された第１区画板と、
前記マグネトロン部が提供された空間を区画するよう縦方向に提供された第２区画板とを含めてなることを特徴とする請求項１記載の電子レンジ。
【請求項２７】
前記インバーター部が提供された空間に空気の流路を形成するために、前記第１区画板と平行に提供される第３区画板を更に含めてなることを特徴とする請求項２６記載の電子レンジ。
【請求項２８】
前記送風ファンは前記第１区画板と前記第２区画板とが交差する地点に提供されることを特徴とする請求項２６記載の電子レンジ。
【請求項２９】
前記インバーター部が提供された空間上に形成され、送風された空気の流動を案内する流動案内ガイドを更に含むことを特徴とする請求項１記載の電子レンジ。
【請求項３０】
前記インバーター部を通過した空気の排出経路のうち、本体の前方の底面に空気排出口が形成され、前記流動案内ガイドは、前記空気排出口に排出される空気の流動を案内するため傾斜して提供されることを特徴とする請求項２９記載の電子レンジ。
【請求項３１】
前記流動案内ガイドは所定の曲率を有することを特徴とする請求項３０記載の電子レンジ。
【請求項３２】
前記流動案内ガイドは複数個であることを特徴とする請求項３１記載の電子レンジ。
【請求項３３】
前記各流動案内ガイドの高さが互いに異なることを特徴とする請求項３２記載の電子レンジ。
【請求項３４】
前記インバーター部が備えられた側から遠ざかるほど前記流動案内ガイドの高さが次第に低くなることを特徴とする請求項３３記載の電子レンジ。
【請求項３５】
前記インバーター部を通過した空気の排出経路のうち、本体の前方の側面に別途の空気排出口が更に提供されることを特徴とする請求項３４記載の電子レンジ。
【発明の詳細な説明】
【０００１】
【発明の属する技術分野】
本発明は電子レンジに関し、特に、前記電子レンジの内部の部品を冷却させるための電子レンジの送風構造に関する。
【０００２】
【従来の技術】
一般的に電子レンジ（ＭＷＯ：ｍｉｃｒｏｗａｖｅ　ｏｖｅｎ）は高周波（秒当り約２，４５０ＭＨｚ）によって飲食物の分子配列を乱し、この際に発生する分子間の摩擦熱によって飲食物を調理する器具である。
【０００３】
前記電子レンジは一般的にベースプレート１１、外部ケース１２及び後方パネル１３を含む本体１０と、その内部に調理室が形成される内部ケース２０と、そして、各種の電子部品が設けられる電装室３０とからなる。
【０００４】
図１は電装室３０が内部ケース２０の下部に備えられる従来の電子レンジの一例を概略的に示す。通常、電子レンジの内部部品からは多量の熱が発散し、外部から送風される空気により冷却される。しかしながら、前記電子レンジでは上下に分離される内部空間の全体に均一に空気を送風することが実際に容易ではなく、このため最適化された送風の構造が要求される。
以下、かかる送風構造を具体的に説明する。
【０００５】
まず、従来の電子レンジの送風構造は、図２に示すように、基本的にベースプレート１１の前方側の底部に配置された２つの冷却ファン４１，４２で構成されている。前記何れか一方の冷却ファン（以下、第１冷却ファン）４１は各種の電子部品３１を冷却させる役割を果たし、他方の冷却ファン（以下、第２冷却ファン）４２はマグネトロン５０及び、内部ケース２０内に空気を送風する役割を果たす。前記各冷却ファン４１，４２はファンモーター４１ａ，４２ａにより回転し、区画板６０は各冷却ファン４１，４２から送風する空気の流路を互いに分離する。
【０００６】
前記ベースプレート１１の前方にはスリット状の多数の空気吸入口１１ａが形成され、図１及び図５に示すように、前記後面パネル１３の上部及び下部には、多数の空気排出口１３ａ，１３ｂがそれぞれ形成される。前記下部の空気排出口（以下、第１空気排出口）１３ａを介しては各種の電子部品３１を冷却した空気が排出され、前記上部の空気排出口（以下、第２空気排出口）１３ｂを介しては前記内部ケース２０内を循環した空気が排出される。
【０００７】
また、図３及び図４に示すように、前記内部ケース２０の一方の壁面には多数の空気流入ホール２１が形成され、上部面には多数の空気流出ホール２２が形成される。前記内部ケース２０の上部には蓋部２３が提供され、その蓋部２３は前記空気流出ホール２２を介して出た空気が前記第２空気排出口１３ｂに抜け出るように案内する流路として機能する。
【０００８】
以下、従来の電子レンジにおける送風過程をさらに具体的に説明する。
【０００９】
まず、電子レンジの動作が始まると、一対の冷却ファン４１，４２が駆動しながら外部空気を吸入する。前記吸入された外部空気は、ベースプレート１１に形成された空気吸入口１１ａを介して各冷却ファン４１，４２が備えられた空間に流入する。そして、前記空気は前記第１冷却ファン４１及び第２冷却ファン４２によって互いに独立的な流路を介して電装室３０及びマグネトロン５０が備えられた空間にそれぞれ吐き出される。
前記第１冷却ファン４１により吐き出された空気は前記電装室３０を流動しながら各電子部品３１を冷却させた後、第１空気排出口１３ａを介して本体１０の外部に排出される。
【００１０】
また、前記第２冷却ファン４２により吐き出された空気は、図３に示すように、前記マグネトロン５０を通過するうちに前記マグネトロン５０から発生した熱を冷却させる。次いで、前記空気は、図４に示すように、内部ケース２０の壁面に形成された空気流入ホール２１を介して前記内部ケース２０の内部を流動する。
その後、前記空気は前記内部ケース２０の上側面に形成された空気流出ホール２２を介して内部ケース２０の外部に排出され、次いで、蓋部２３の案内を受けて後面のパネルに形成された第２空気排出口１３ｂを介して本体１０外部に排出される。
【００１１】
【発明が解決しようとする課題】
しかしながら、上記したような従来の技術による電子レンジでは次のような問題がある。
【００１２】
第１に、従来における電子レンジの送風構造は、電子部品の冷却、及び調理室の湿気除去のために多数の冷却ファン４１，４２、及びファンモーター４１ａ，４２ａを必要とした。このため、全体的な構造が複雑で、材料費が上昇するという問題があった。
【００１３】
第２に、前記ファンモーター４１ａ、４２ａ、及び冷却ファン４１，４２が本体１０の前方に位置するため、騒音が激しく、ユーザーに不快感を引き起こさせた。
【００１４】
第３に、最近は電子レンジ用マグネトロンの高周波（マイクロ波）出力量が可変するように制御するインバーターの適用が次第に増えている。しかしながら、このようなインバーターはマグネトロンが高出力で連続動作するように制御されるため、電子レンジ内の各種の部品が過熱によって損傷する可能性が増加する。特に、前記インバーターの過熱による各種の回路の深刻な損傷を引き起こすことがある。したがって、インバーターが適用された電子レンジの場合、前記インバーターの冷却が円滑に行われるための構造が必ず必要である。
【００１５】
第４に、電子レンジの動作停止が行われると、前記電子レンジの内部を放熱する送風ファンの動作も中断し、前記インバーターの温度が急激に上昇するので、各種の電装部品の過熱による損傷が更に深刻化する。
【００１６】
そこで、本発明の目的は、より効率的で騒音の少ない送風構造を有すると共に、インバーターを効率よく冷却させる送風構造を有する電子レンジを提供することにある。
【００１７】
【課題を解決するための手段】
上記目的を達成するために、本発明による電子レンジは、各種の部品を収容及び保護するように提供され、多数の空気吸入口及び多数の空気排出口を有する本体と、前記本体内の上部空間に提供され、その内部に調理室を形成し、空気流入ホール及び空気流出ホールを有する内部ケースと、前記本体内の下部空間の後方部に提供され、電子部品が設けられる電装室と、前記本体内の下部空間の前方部に提供されるインバーター部と、前記本体内の側部空間に提供されるマグネトロン部と、前記インバーター部が提供された空間と、電装室をなす空間と、前記マグネトロン部が提供された空間とをそれぞれ区画する区画板と、各前記空間が共通に接する部位に提供され、外部空気を前記本体内のそれぞれの空間に送風する単一の送風手段とを含めてなることを特徴とする。
【００１８】
ここで、前記空気吸入口は前記本体の後方の底面及び後面にそれぞれ形成され、前記空気吸入口は前記電装室に連通するように形成される。この際、前記空気吸入口はそれぞれ多数個のスリットからなる。
【００１９】
一方、前記空気排出口は前記本体の後面に形成される。ここで、前記空気排出口は前記内部ケースの空気流出ホールと隣接して形成される。また、前記電子レンジは、前記本体の後面と前記内部ケースとの間に提供され、前記空気流出ホールを通過した空気が本体の内部に再流動することを防止するフレームを更に含めてなる。
【００２０】
前記空気排出口は前記本体の側面に形成され、前記空気排出口は前記インバーター部と連通して形成される。また、前記空気排出口は前記本体の前方の側面にもそれぞれ形成される。
【００２１】
前記内部ケースの空気流入ホールは前記マグネトロン部が提供された空間と連通して提供され、前記内部ケースの空気流入ホールは前記マグネトロン部が提供された空間と隣接した前記内部ケースの一方の壁面に形成される。
【００２２】
また、内部ケースの湿気を除去するために、前記内部ケースは上部の表面に形成される補助空気流出ホールを更に含む。ここで、前記本体の後方の上面には前記補助空気流出ホールを介して流出した空気を排出させるための別途の空気排出口が形成される。
【００２３】
前記内部ケースの下部縁に沿って突出して形成され、前記本体内の空間を下部空間と上部区間とに水平に分離するフレームを更に含む。ここで、前記フレームは前記内部ケースの空気流入ホールと隣接した部分に開口部が形成される。
【００２４】
また、前記内部ケースの上部縁に沿って突出して形成され、前記本体と前記内部ケースの上面との間に隔離された空間を形成する別途のフレームを更に含む。
【００２５】
また、前記空気流入ホールが形成された部分には前記内部ケースの内部を照らすランプ部が提供される。ここで、前記ランプ部は、ランプと、前記ランプを支持し、かつ、送風された空気を前記空気流入ホールに案内する支持ホルダーとを含む。
【００２６】
前記空気流出ホールには流出する空気の水分含有量を検出するセンサー部が提供される。
【００２７】
また、前記マグネトロン部は、マイクロウェーブを放出させるマグネトロンと、前記マグネトロンを保護し、かつ、本体内の側部空間のうち前記内部ケースの空気流入ホールが形成された前方の空間を、後方の空間と分離させるよう本体の側面に向かって突出しているハウジングとを含めてなる。ここで、前記ハウジングは前記内部ケースの側壁と前記本体の側面との間を塞ぐように提供される。
【００２８】
また、送風手段は、前記インバーター部が提供された空間及び、前記マグネトロン部が提供された空間に同時に空気を送風する送風ファンと、前記送風ファンを駆動するファンモータとを含む。ここで、前記送風ファンは前記本体内の下部空間の後方に位置し、前記送風ファンの空気吐出側は前記インバーター部が提供された空間、及び前記マグネトロン部が提供された空間にそれぞれ部分的に連通する。
【００２９】
また、本発明による電子レンジにおいて、前記区画板は、前記インバーター部が提供された空間と、前記電装室をなす空間とを区画するよう横方向に提供された第１区画板と、前記マグネトロン部が提供された空間を区画するよう縦方向に提供された第２区画板とを含めてなることを特徴とする。
ここで、前記インバーター部が提供された空間に空気の流路を形成するために、第１区画板と平行に提供される第３区画板を更に含めてなる。前記送風ファンは前記第１区画板と前記第２区画板とが交差する地点に提供される。
【００３０】
また、前記インバーター部が提供された空間上に形成され、送風された空気の流動を案内する流動案内ガイドを更に含む。ここで、前記インバーター部を通過した空気の排出経路のうち、本体の前方の底面に空気排出口が形成され、前記流動案内ガイドは、前記空気排出口に排出される空気の流動を案内するため傾斜して提供される。
【００３１】
また、前記流動案内ガイドは所定の曲率を有し、複数個に形成される。ここで、前記各流動案内ガイドの高さが互いに異なり、前記インバーター部が備えられた側から遠ざかるほど前記流動案内ガイドの高さが次第に低くなる。
【００３２】
また、前記インバーター部を通過した空気の排出経路のうち本体の前方の側面に別途の空気排出口が更に提供される。
【００３３】
【発明の実施の形態】
以下、図６乃至図１２を参照して本発明による電子レンジに関する好ましい実施形態を添付の図面に基づいて詳細に説明する。
【００３４】
図６に示すように、本発明による電子レンジは、本体１００と、内部ケース２００と、インバーター部３００と、電装室４００と、マグネトロン部５００と、送風手段７００とを含めてなる。
ここで、前記送風手段７００は一つのみが提供され、電子レンジの各部位を冷却させる。この際、循環する空気のうち、流入空気と排出空気との混合を防止する構造を提示する。即ち、本発明は、ただ一つの送風手段７００を用いて、電子レンジの各部位を放熱しながら排出される空気のうち、インバーター部３００を放熱した空気を円滑に排出させる。これと共に、自然放熱が円滑に行われうる構造を提示する。
【００３５】
前記本体１００は電子レンジの外観を形成し、かつ、各種の部品を収容及び保護する。前記本体１００はベースプレート１１０、アウターケース１２０、後方パネル１３０及び前方パネル／ドア１５０を含む。これと共に、電子レンジの内部に空気を流動させるために、前記本体１００には多数の空気吸入口１１１，１３１（以下、第１及び第２吸入口）及び、空気排出口１２１，１３２（以下、第１及び第２排出口）がそれぞれ形成される。
【００３６】
図６に示すように、前記電装室４００が本体内の下部空間の後方部に位置するので、前記第１及び第２吸入口１１１，１３１はベースプレート１１０の後方部、及び後方パネル１３０の下部にそれぞれ形成される。外部空気は前記第１及び第２吸入口１１１，１３１を介して一次的に前記電装室４００に流入する。
【００３７】
前記第１及び第２排出口１３２，１２１はそれぞれ内部ケース２００とインバーター部３００に連通するように形成される。即ち、前記第１排出口１３２は、前記内部ケース２００の位置に対応して後方パネル１３０の上部に形成される。前記第２排出口１２１は、前記インバーター部３００の位置に対応してアウターケース１２０の側面の前方部に形成される。したがって、前記第１排出口１３２を介して前記内部ケース２００を冷却させた空気が排出され、前記第２排出口１２１を介して前記インバーター部３００を冷却させた空気が排出される。
【００３８】
図１０及び図１１を参照すると、前記本体１００は第３排出口１１２及び第４排出口１３３を更に含む。即ち、前記第３排出口１１２は、前記インバーター部３００と隣接した前記ベースプレート１１０の前方部に形成され、前記第４空気排出口１３３は前記内部ケース２００と隣接した前記後方パネル１３０の上部に形成される。
【００３９】
ここで、前記第３排出口１１２は第２排出口１２１を補助して、インバーター部３００を冷却した空気がより円滑に排出されるようにすると同時に、外部空気をインバーター部３００側に流入させるために形成される。即ち、送風手段７００の作動が中断される場合、本体１００の内部と外部との温度差によってさらに多量の外部空気が自然対流によって前記第３空気排出口１１２を介して流入し、前記インバーター部３００を冷却させる。また、前記第４空気排出口１３３には内部ケース２００の上側空間を流動する空気が排出される。
【００４０】
図６に示すように、前記内部ケース２００の両側面には空気流入ホール２１１及び空気流出ホール２２１がそれぞれ形成される。ここで、前記流入ホール２１１は前記内部ケース２００の右側の前方に形成され、前記流出ホール（以下、第１流出ホール）２２１は左側の後方に形成される。前記内部ケース２００の前方側の上面にも別途の空気流出ホール（以下、第２流出ホール）２２２が更に提供されるのが好ましい。
【００４１】
前記流入ホール２１１にマグネトロン部５００を放熱した空気が流入する。前記第１流出ホール２２１には内部ケース２００の内部を流動した空気が排出され、前記第２流出ホール２２２には前記内部ケース２００内の湿気を防止するため湿気を含有した空気が排出される。
【００４２】
前記内部ケース２００の外側面の下部縁に沿って第１フレーム２３０が提供され、前記内部ケース２００の外側面の上部縁に沿って第２フレーム２４０が提供される。前記各フレーム２３０，２４０は、前記アウターケース１２０の内側面に密着可能な程度の長さを有するように突出している。
前記第１フレーム２３０は本体１００の下部を流動する空気が前記本体１００の上部空間に流入することを防止する。
【００４３】
図７及び図８に示すように、前記電装室４００を通った空気が内部ケース２００に形成された流入ホール２１１に流入するように、前記第１フレーム２３０の一方には開口部２３１が形成される。即ち、本体１００内の下部空間上を流動する空気が前記本体１００内の上部空間に流動するためには前記開口部２３１を通過しなければならない。また、前記第１フレーム２３０は、前記本体１００内に流入した空気が必ずマグネトロン部５００を通過した後内部ケース２００に流入するようにする。
【００４４】
一方、前記第２フレーム２４０は内部ケース２００の側面と上面との間の空気の流動を遮断する。
【００４５】
図１０を参照すると、前記後方パネル１３０と内部ケース２００との間には遮蔽板１４０が更に提供され、前記第１流出ホール２２１を介して流出した空気が第１排出口１３２に円滑に排出されるように案内する。
【００４６】
一方、図６に示すように、前記インバーター部３００は前記本体１００内の下部の前方に提供され、インバーター３１０を含む。ここで、前記インバーター部３００が提供される空間は第２排出口１２１及び第３排出口１１２にそれぞれ連通する。なお、３２０はインバーター保持具である。
【００４７】
前記ベースプレート１１０の後方に位置した前記電装室には、前記インバーター３１０以外の各種の電装部品（例えば、高電圧トランス、そして、ターンテーブルを回転させる駆動モーターなど）が提供される。前記電装室４００は第１吸入口１１１、及び第２吸入口１３１にそれぞれ連通するように構成される。
【００４８】
前記マグネトロン部５００は前記本体１００内の右側の空間上に提供され、マイクロ波を発生させる役割を行う通常のマグネトロン５１０と、前記マグネトロン５１０を保護するハウジング５２０とを含む。ここで、前記ハウジング５２０は、内部ケース２００の流入ホール２１１が連通する前方側の空間と、その後方側の空間とを分離させるために、縦方向に長く突出している。この際、前記ハウジング５２０は前記アウターケース１２０の右側の内面と密着する。
【００４９】
これと共に、前記ハウジング５２０は、内部ケース２００の第１フレーム２３０を貫通して、その下端は本体の下部空間に位置し、その上端は上部空間に位置する。この際、マグネトロン５１０は前記本体１００内の下部空間に提供される。
前記インバーター部３００がなす空間、電装室４００をなす空間、そして、前記マグネトロン部５００が備えられる空間をそれぞれ分離するように区画板が提供される。
【００５０】
図７に示すように、前記区画板は第１区画板６１０と第２区画板６２０とを含む。
前記第１区画板６１０は、前記ベースプレート１１０の前方の空間（インバーター部がなす空間）と、後方空間（電装室をなす空間）とを分離するように横方向に形成される。前記第２区画板６２０は、前記後方空間を、左側の空間（電装室をなす空間及びインバーター部をなす空間、を含む空間）と、右側の区間（マグネトロン部が備えられる空間）とを分離するように縦方向に形成される。また、前記インバーター部３００が提供された空間自体が流路となるように前記ベースプレート１１０の後方には前記第１区画板６１０と平行して第３区画板６３０が更に備えられるのが好ましい。
【００５１】
前記インバーター部３００が備えられた空間には流動案内ガイド９１０，９２０が提供され、前記インバーター３１０を通過した空気が第３排出口１１２及び第２排出口１２１に円滑に排出されるように案内する役割を果たす。
【００５２】
図１２（Ａ）及び（Ｂ）に示すように、前記流動案内ガイド９１０，９２０はその両端が第１区画板６１０及び第３区画板６３０と一体に形成された状態で空気の流動が第３排出口１１２に向かうように傾斜して形成される。ここで、前記流動案内ガイド９１０，９２０をラウンドに形成することで、空気の流動方向の案内がより円滑に行われるようにすることが好ましい。
【００５３】
これと共に、前記流動案内ガイド９１０，９２０は一つのみ備えるか、二つ以上に備えることもできる。特に、本発明の実施形態では前記流動案内ガイド９１０，９２０を二つ備えている。
【００５４】
また、二つの流動案内ガイド９１０，９２０のうち、インバーター部３００に隣接した部位に提供される流動案内ガイド（以下、第１流動案内ガイド）９１０の高さが第２排出口１２１に隣接した他方の流動案内ガイド（以下、第２流動案内ガイド）９２０のそれに比べて高く形成される。
この際、前記第２流動案内ガイド９２０は前記第１流動案内ガイド９１０に比べ、ほぼ半分の高さを有するように形成される。仮に、前記流動案内ガイド９１０，９２０が三つ以上に構成されれば、それぞれの流動案内ガイドの高さは順次に段差をなすように形成される。
【００５５】
上記のような形状は、電子レンジの作動中断が行われる場合、電子レンジの内部と外部との温度差によって自然対流による空気の流入が前記第２排出口１２１及び第３排出口１１２を介して円滑に行われるようにするためである。
即ち、第２流動案内ガイド９２０の高さを第１流動案内ガイド９１０のそれと同じように形成すると、流入する空気の流動が更に遮断されることで、前記インバーター３１０の放熱効果が低下するので、各流動案内ガイド９１０，９２０の高さが異なるように形成される。
【００５６】
本発明の送風手段７００は、送風ファン７１０及びファンモーター７２０を有し、前記インバーター部３００がなす空間と、電装室４００をなす空間と、そして、マグネトロン部５００が提供される空間とが共に連通する部分に提供される。この際、前記送風手段７００の空気流入側は前記電装室４００をなす空間と連通し、空気流出側は前記インバーター部３００をなす空間及び、マグネトロン部５００が提供される空間とそれぞれ連通する。
【００５７】
また、前記第２区画板６２０が前記送風ファン７１０の中心に向かうように提供されることが好ましい。即ち、前記送風ファン７１０を介して吐き出される空気は、前記第２区画板６２０を基準にインバーター部３００が提供された空間及び、マグネトロン部５００が提供された空間にそれぞれ分離され流れるようにすることで、単一の送風手段７００を用いて前記インバーター３１０及びマグネトロン５１０の放熱が可能となるようにする。
【００５８】
また、内部ケース２００の外側の壁面のうち流入ホール２１１が形成された部位にランプ部８１０が更に提供される。ここで、前記ランプ部８１０は、前記内部ケース２００の内部を選択的に照らす役割を果たし、大きくはランプ８１１と、そのランプ８１１を支持する支持ホルダー８１２とを含めて構成されている。
【００５９】
前記支持ホルダー８１２は前記空気流入ホール２１１の上側の部位に固定され、板状を有して、前記流入ホール２１１が形成された部位を基準にその上下側の空間を区画する。即ち、前記支持ホルダー８１２によってマグネトロン部５００を通過した空気が前記空気流入ホール２１１を介して内部ケース２００の内部に円滑に流入されるようにする。
前記内部ケース２００の外側の壁面のうち第１流出ホール２２１が形成された部分には水分を測定するセンサーを有するセンサー部８２０が提供される。
前記センサー部８２０は流出する空気内の水分含有量をセンシングする。
【００６０】
以下、上述したように構成される本発明の形態による放熱過程をさらに具体的に説明する。
【００６１】
電子レンジが作動すると、前記送風手段７００は外部空気を吸入して、インバーター部３００が提供された空間、及びマグネトロン部５００が提供された空間に吐き出すように作動する。前記第１吸入口１１１及び第２吸入口１３１を介して本体１００の外部の空気が吸入され、前記インバーター部３００が提供された空間、及びマグネトロン部５００が提供された空間にそれぞれ分割して吐き出される。
この際、前記第１吸入口１１１がベースプレート１１０の底面に形成されているので、それを介して吸入される外部空気は一次的に前記電装室４００内の各種の電装部品を通りつつ冷却される。
【００６２】
上記過程を経た後、送風ファン７１０を経て前記インバーター部３００が提供された空間に吐き出された空気は、第１区画板６１０及び第３区画板６３０により形成された流路の案内を受け、前記インバーター部３００を通過しながらインバーター３１０を冷却させる。その後、前記インバーター３１０を冷却した空気は、第１流動案内ガイド９１０の案内を受けてベースプレート１１０に形成された第３排出口１１２を介して本体１００の外部に排出される。
【００６３】
ここで、前記第１流動案内ガイド９１０は傾斜した状態でラウンドに形成されているため、前記インバーター３１０を冷却した空気は前記第１流動案内ガイド９１０の内側の曲面に沿ってその流動を案内される。したがって、円滑な空気の流れが行われ、前記第３排出口１１２への空気の排出が円滑に行われる。
また、前記第１流動案内ガイド９１０による流動の案内を受けず、継続的に流動する空気は、第２流動案内ガイド９２０によって再び空気流動の案内を受ける。
【００６４】
上記のような過程にも拘わらず、流動案内ガイド９１０，９２０による空気流動の案内を受けなかった空気は、アウターケース１２０に形成された第２排出口１２１を介して外部に排出される。
【００６５】
一方、前記送風ファン７１０を通過してマグネトロン部５００が提供された空間に吐き出された空気は、前記マグネトロン部５００を経て放熱させた後、内部ケース２００の第１フレーム２３０に形成された開口部２３１を介して上部の空間に流入する。
この際、前記開口部２３１以外の部分は第１フレームによって塞がっているので、下部空間を循環する空気は上部空間に流出しない。また、前記本体１００内の上部空間の前方側に流入した空気は、マグネトロン部５００を構成するハウジング５２０によって前記本体１００内の上部空間の後方への流動が防止される。
【００６６】
前記マグネトロン５１０をさらに円滑に放熱させるため、前記送風ファン７１０の吐き出し方向は前記マグネトロン５１０の位置した方向に向かうようにすることが好ましい。
その後、前記空気はランプ部８１０の支持ホルダー８１２によって上部への流動が防止された状態で前記流入ホールを介して内部ケース２００に流入する。
前記流入した空気は調理室を循環した後、前記内部ケース２００に形成された第１流出ホール２２１及び第２流出ホール２２２を介して内部ケース２００の外部に排出される。
【００６７】
ここで、前記第２流出ホール２２２は電子レンジの前面に提供されたドア部１５０のガラスに湿気がこもることを防止する。即ち、前記第２流出ホール２２２が内部ケース２００の前方側の上面に形成されているので、前記調理室を循環しながら前記第２流出ホール２２２を介して排出される空気によって湿気が除去される。前記第２流出ホール２２２を介して排出された空気は内部ケース２００の上側の空間を流動した後、後面のパネル１３０に形成された第４排出口１３３を介して本体１００の外部に排出される。
【００６８】
また、内部ケース２００の第１流出ホール２２１を介して流出する空気は、前記第１流出ホール２２１の隣接した所にあるセンサー部８２０を通過する。
ここで、前記センサー部８２０に内装された水分を測定するセンサーは前記流出する空気の水分含有量をセンシングし、そのセンシング値はコントローラー（図示せず）によって運転制御に用いられる。
【００６９】
前記センサー部８２０を通過した空気は本体１００内の上部空間を流動した後、前記後面パネル１３０の左側の上端に形成された第１排出口１３２を介して外部に排出される。ここで、前記第１フレーム２３０と第２フレーム２４０は、前記内部ケース２００とアウターケース１２０との間の空間をそれぞれ分離して、前記第１流出ホール２２１に流出した湿気が前記内部ケース２００に流入することを防止する。
したがって、前記第１流出ホール２２１を通過した湿気が本体１００のそれぞれの空間に存在する空気（特に、各構成部分の放熱のために流入する空気）と混合することが防止される。
【００７０】
以上で説明した作動は電子レンジの運転停止に伴う送風手段の駆動停止時に中断される。前記送風手段の作動が停止する場合には、各電装部品、特に、高出力を制御するインバーター３１０は動作中の発生熱によって次第に加熱する。
したがって、インバーター部３００が備えられた空間の温度は次第に上昇する。この際、図１２（Ｂ）に示すように、前記インバーターと本体１００の外部との温度差により、前記本体１００の外部の空気が自然対流によって第２排出口１２１及び第３排出口１１２を介して前記インバーター部３００が備えられた空間に向かうように流動する。
【００７１】
上記過程において、前記第２排出口１２１を介して逆流する空気は、第２流動案内ガイド９２０、及び第１流動案内ガイド９１０の曲面に沿って流動しながらインバーター３１０を放熱する。これと共に、前記第３空気排出口１１２を通過して逆流する空気もインバーター３１０を放熱する。
この際、前記第２流動案内ガイド９２０が第１流動案内ガイド９１０に比べてその高さが低いので、より円滑に逆流する。したがって、前記インバーター３１０は自然対流により冷却され、過熱による損傷が防止される。
【００７２】
【発明の効果】
以上で説明したように、本発明による電子レンジの冷却構造によれば次のような効果が得られる。
【００７３】
第１に、只一つの冷却ファン及びファンモーターのみで電装室及びマグネトロンの冷却が可能であるので、全体的な製造単価を低減できる。これは、一つの冷却ファンから吐き出される空気の流動を、インバーターが提供された空間、及びマグネトロンが提供された空間にそれぞれ流動するように案内する流路を形成したために可能なものである。また、電装室の電装部品は前記冷却ファンの吸入力によって外部の空気が流入する過程で冷却されるようにしたので、別途の送風手段を必要としない。
【００７４】
第２に、送風手段が本体の後方に位置するので、その作動に伴う騒音がユーザーに直接に伝達されることを防止でき、全体的な騒音が減少する。
【００７５】
第３に、本発明は外部の空気が流入する下部空間及び、空気の排出が行われる上部空間が互いに分離されているので、外部から流入した空気と、各構成部品を放熱した空気とが混合することを防止できる。これにより、各構成部品の放熱がより円滑に行われうる。
【００７６】
第４に、インバーターが隣接した所に外部空気の流出ホールが提供されることで、送風ファンの稼動が停止した場合にも温度差による自然対流が円滑に行われ、前記インバーターの冷却を行いうる。
【００７７】
第５に、流動案内ガイドによって、インバーターを放熱した空気が円滑に排出されると共に、送風ファンの稼動停止時に外部空気の自然対流による流入が円滑に行われうる。
【図面の簡単な説明】
【図１】従来の電子レンジを概略的に示す分解斜視図である。
【図２】従来の電子レンジのベースプレート及び、これに装着された各種の部品を示す平面図である。
【図３】従来の電子レンジの本体の内部を示す側面図である。
【図４】従来の電子レンジの調理室の内部を示す正面斜視図である。
【図５】従来の電子レンジの後方のパネルを示す背面図である。
【図６】本発明による電子レンジを概略的に示す分解斜視図である。
【図７】本発明による電子レンジのベースプレート及び、これに装着された各種の部品を示す平面図である。
【図８】本発明による電子レンジの本体の内部を示す右側面図である。
【図９】本発明による電子レンジの調理室の内部を示す正面斜視図である。
【図１０】本発明による電子レンジの本体の内部を示す左側面図である。
【図１１】本発明による電子レンジの後方パネルを示す背面図である。
【図１２】（Ａ）および（Ｂ）は、本発明による空気流動案内手段を示す部分断面図である。
【符号の説明】
１００…本体
１１０…ベースプレート
２００…内部ケース
２３０…第１フレーム
２４０…第２フレーム
３００…インバーター部
４００…電装室
５００…マグネトロン部
６１０…第１区画板
６２０…第２区画板
６３０…第３区画板
７００…送風手段
【図１】
2004061107.tif 000003
【図２】
2004061107.tif 000004
【図３】
2004061107.tif 000005
【図４】
2004061107.tif 000006
【図５】
2004061107.tif 000007
【図６】
2004061107.tif 000008
【図７】
2004061107.tif 000009
【図８】
2004061107.tif 000010
【図９】
2004061107.tif 000011
【図１０】
2004061107.tif 000012
【図１１】
2004061107.tif 000013
【図１２】
2004061107.tif 000014